(57)【特許請求の範囲】
【請求項１】
撮像レンズであって、
物体側から像面側へ向かって、順に、正の屈折力を有する第１レンズ、正の屈折力を有する第２レンズ、負の屈折力を有する第３レンズ、負の屈折力を有する第４レンズ、正の屈折力を有する第５レンズ、負の屈折力を有する第６レンズが配置され、
そのうち、前記撮像レンズの光学全長をＴＴＬ、前記撮像レンズのレンズバック長をＬＢ、前記第１レンズの物体側面から前記第２レンズの像面側面までの軸上距離をＤ１２、前記第１レンズの像面側面から前記第２レンズの物体側面までの軸上距離をｄ２、前記撮像レンズ全体の焦点距離をｆ、前記第３レンズの像面側面から前記第４レンズの物体側面までの軸上距離をｄ６、前記第３レンズの像面側面の曲率半径をＲ６、前記第４レンズの物体側面の曲率半径をＲ７にしたときに、以下の条件式（１）〜（４）を満足することを特徴とする撮像レンズ。
撮影時の（ＴＴＬ／ＬＢ）≦２．２０                      （１）
７．５０≦Ｄ１２／ｄ２≦８．５０                        （２）
０．０４≦ｄ６／ｆ≦０．０８                            （３）
−１．００≦Ｒ６／Ｒ７≦−０．３５                      （４）
【請求項２】
前記第１レンズの焦点距離をｆ１にしたときに、以下の条件式（５）を満足することを特徴とする請求項１に記載の撮像レンズ。
０．６０≦ｆ１／ｆ≦０．８０                            （５）
【請求項３】
前記第２レンズの焦点距離をｆ２にしたときに、以下の条件式（６）を満足することを特徴とする請求項１に記載の撮像レンズ。
０．９０≦ｆ２／ｆ≦１．３０                            （６）
【請求項４】
前記第３レンズの焦点距離をｆ３にしたときに、以下の条件式（７）を満足することを特徴とする請求項１に記載の撮像レンズ。
−０．７０≦ｆ３／ｆ≦−０．５０                        （７）
【請求項５】
前記第４レンズの像面側面から前記第５レンズの物体側面までの軸上距離をｄ８にしたときに、以下の条件式（８）を満足することを特徴とする請求項１に記載の撮像レンズ。
０．０５≦ｄ８／ｆ≦０．１０                            （８）
【発明の詳細な説明】
【技術分野】
【０００１】
本発明は、撮像レンズに関する発明である。特に、高画素用のＣＣＤ、ＣＭＯＳなどの撮像素子を使用したスマートフォン用カメラモジュール、デジタルカメラなどに好適であり、撮影時は、全画角（以下、２ωとする）が、５０°以下の挟角で、良好な光学特性を有し、沈胴時のＴＴＬ／ＩＨが１．４０以下と沈胴時に低背な６枚のレンズで構成される撮像レンズに関する発明である。
【背景技術】
【０００２】
撮像レンズは、挟角化に伴いＴＴＬ（光学全長）が長くなる為に、近年、撮影時は、挟角で、良好な光学特性を有し、非撮影時にレンズ鏡筒をカメラ内に沈胴させてＴＴＬを短くし、沈胴時に低背化した撮像レンズが求められている。
【０００３】
挟角で良好な光学特性を有する６枚のレンズで構成された撮像レンズに関する技術開発が進められている。この６枚構成の撮像レンズとしては、物体側から像面側へ向かって、順に、正の屈折力を有する第１レンズ、正の屈折力を有する第２レンズ、負の屈折力を有する第３レンズ、負の屈折力を有する第４レンズ、正の屈折力を有する第５レンズ、負の屈折力を有する第６レンズで構成されたものが、特許文献１に提案されている。
【０００４】
特許文献１の実施例３に開示された撮像レンズは、２ωが、４９．４°と挟角化されているが、撮影時のＴＴＬと撮影時のＬＢの比が不十分な為に、沈胴した場合の低背化が不十分であった。
【先行技術文献】
【特許文献】
【０００５】
【特許文献１】中国公開特許番号  ＣＮ１０８５３５８４４Ａ
【発明の概要】
【発明が解決しようとする課題】
【０００６】
本発明の目的は、沈胴時に低背とし、撮影時は、挟角、良好な光学特性を有する６枚で構成される撮像レンズを提供することにある。
【課題を解決するための手段】
【０００７】
上記目標を達成するために、撮影時のＴＴＬ（光学全長）とＬＢ（レンズバック長）との比、第１レンズの物体側面から第２レンズの像面側面までの軸上距離と第１レンズの像面側面から第２レンズの物体側面までの軸上距離との比、第３レンズの像面側面から第４レンズの物体側面までの軸上距離と撮像レンズ全体の焦点距離との比、第３レンズの像面側面の曲率半径と第４レンズの物体側面の曲率半径との比を鋭意検討した結果、従来技術の課題が改善された撮像レンズを得ることを見出し、本発明に到達した。
【０００８】
本発明の実施例には、撮像レンズが提供され、前記撮像レンズは、物体側から像面側へ向かって、順に、正の屈折力を有する第１レンズ、正の屈折力を有する第２レンズ、負の屈折力を有する第３レンズ、負の屈折力を有する第４レンズ、正の屈折力を有する第５レンズ、負の屈折力を有する第６レンズが配置され、以下の条件式（１）〜（４）を満足する。
撮影時の（ＴＴＬ／ＬＢ）≦２．２０                      （１）
７．５０≦Ｄ１２／ｄ２≦８．５０                        （２）
０．０４≦ｄ６／ｆ≦０．０８                            （３）
−１．００≦Ｒ６／Ｒ７≦−０．３５                      （４）
但し、
ＴＴＬ  ：光学全長（第１レンズの物体側面から像面までの軸上距離）
ＬＢ    ：レンズバック長（第６レンズの像面側面から像面までの軸上距離）
Ｄ１２  ：第１レンズの物体側面から第２レンズの像面側面までの軸上距離
ｄ２    ：第１レンズの像面側面から第２レンズの物体側面までの軸上距離
ｆ      ：撮像レンズ全体の焦点距離
ｄ６    ：第３レンズの像面側面から第４レンズの物体側面までの軸上距離
Ｒ６    ：第３レンズの像面側面の曲率半径
Ｒ７    ：第４レンズの物体側面の曲率半径
である。
【０００９】
好ましくは、以下の条件式（５）を満足する。
０．６０≦ｆ１／ｆ≦０．８０                            （５）
但し、
ｆ      ：撮像レンズ全体の焦点距離
ｆ１    ：第１レンズの焦点距離
である。
【００１０】
好ましくは、以下の条件式（６）を満足する。
０．９０≦ｆ２／ｆ≦１．３０                            （６）
但し、
ｆ      ：撮像レンズ全体の焦点距離
ｆ２    ：第２レンズの焦点距離
である。
【００１１】
好ましくは、以下の条件式（７）を満足する。
−０．７０≦ｆ３／ｆ≦−０．５０                        （７）
但し、
ｆ      ：撮像レンズ全体の焦点距離
ｆ３    ：第３レンズの焦点距離
である。
【００１２】
好ましくは、以下の条件式（８）を満足する。
０．０５≦ｄ８／ｆ≦０．１０                            （８）
但し、
ｆ      ：撮像レンズ全体の焦点距離
ｄ８    ：第４レンズの像面側面から第５レンズの物体側面までの軸上距離
である。
【発明の効果】
【００１３】
本発明によれば、特に、高画素用のＣＣＤ、ＣＭＯＳなどの撮像素子を使用したスマートフォン用カメラモジュール、デジタルカメラなどに好適な、撮影時は、２ω≦５０°の挟角で、良好な光学特性を有し、沈胴時のＴＴＬ／ＩＨ≦１．４０と沈胴時に低背な６枚のレンズで構成される撮像レンズに関する発明である。
【図面の簡単な説明】
【００１４】
【図１】図１は、本発明の実施例１の撮像レンズＬＡの概略構成を示す図。
【図２】図２は、本発明の実施例１の撮像レンズＬＡの球面収差、非点収差、歪曲収差を示す図。
【図３】図３は、本発明の実施例２の撮像レンズＬＡの概略構成を示す図。
【図４】図４は、本発明の実施例２の撮像レンズＬＡの球面収差、非点収差、歪曲収差を示す図。
【図５】図５は、本発明の実施例３の撮像レンズＬＡの概略構成を示す図。
【図６】図６は、本発明の実施例３の撮像レンズＬＡの球面収差、非点収差、歪曲収差を示す図。
【発明を実施するための形態】
【００１５】
以下、本発明について図面及び実施例を組み合わせてさらに説明する。本発明の目的、技術考案及び利点をより明確にするために、以下、図面を参照しながら本発明の各実施例を詳しく説明する。しかしながら、本発明の各実施例において、本発明に対する理解を便宜にするために、多くの技術的細部まで記載されているが、これらの技術的細部及び以下の各実施例に基づく種々の変化及び修正がなくても、本発明が保護しようとする技術考案を実現可能であることは、当業者にとっては自明なことである。
【００１６】
本発明に係る撮像レンズの実施例について説明する。この撮像レンズＬＡは、物体側から像面側へ向かって、第１レンズＬ１、第２レンズＬ２、第３レンズＬ３、第４レンズＬ４、第５レンズＬ５、第６レンズＬ６が配置された６枚構成のレンズ系を備えている。第６レンズＬ６と像面との間に、ガラス平板ＧＦが配置される。このガラス平板ＧＦとしては、カバーガラス、及び、各種フィルターなどを想定したものである。本発明において、ガラス平板ＧＦは、異なる位置に配置されてもよく、省略した構成も可能である。
【００１７】
第１レンズＬ１は、正の屈折力を有するレンズであり、第２レンズＬ２は、正の屈折力を有するレンズであり、第３レンズＬ３は、負の屈折力を有するレンズであり、第４レンズＬ４は、負の屈折力を有するレンズであり、第５レンズＬ５は、正の屈折力を有するレンズであり、第６レンズＬ６は、負の屈折力を有するレンズである。これらの６枚のレンズ表面は、諸収差を良好に補正するため、全面を非球面形状とすることが望ましい。
【００１８】
この撮像レンズＬＡは、以下の条件式（１）を満足する。
撮影時の（ＴＴＬ／ＬＢ）≦２．２０                      （１）
【００１９】
条件式（１）は、撮影時の光学全長（第１レンズＬ１の物体側面Ｓ１から像面までの軸上距離）ＴＴＬと撮影時のレンズバック長（第６レンズＬ６の像面側面Ｓ１２から像面までの軸上距離）ＬＢとの比を規定するものである。条件式（１）の範囲内にすることにより、沈胴時の低背化が容易となり好ましい。
【００２０】
この撮像レンズＬＡは、以下の条件式（２）を満足する。
７．５０≦Ｄ１２／ｄ２≦８．５０                        （２）
【００２１】
条件式（２）は、第１レンズＬ１の物体側面Ｓ１から第２レンズＬ２の像面側面Ｓ４までの軸上距離Ｄ１２と第１レンズＬ１の像面側面Ｓ２から第２レンズＬ２の物体側面Ｓ３までの軸上距離ｄ２との比を規定するものである。条件式（２）の範囲内にすることにより、沈胴時の低背化、及び、撮影時の挟角化での諸収差の補正が容易となり好ましい。
【００２２】
この撮像レンズＬＡは、以下の条件式（３）を満足する。
０．０４≦ｄ６／ｆ≦０．０８                            （３）
【００２３】
条件式（３）は、第３レンズＬ３の像面側面Ｓ６から第４レンズＬ４の物体側面Ｓ７までの軸上距離ｄ６と撮像レンズＬＡ全体の焦点距離ｆとの比を規定するものである。条件式（３）の範囲内にすることにより、沈胴時の低背化、及び、撮影時の挟角化での諸収差の補正が容易となり好ましい。
【００２４】
この撮像レンズＬＡは、以下の条件式（４）を満足する。
−１．００≦Ｒ６／Ｒ７≦−０．３５                      （４）
【００２５】
条件式（４）は、第３レンズＬ３の像面側面Ｓ６の曲率半径Ｒ６と第４レンズＬ４の物体側面Ｓ７の曲率半径Ｒ７との比を規定するものである。条件式（４）の範囲内にすることにより、沈胴時の低背化、及び、撮影時の挟角化での諸収差の補正が容易となり好ましい。
【００２６】
この撮像レンズＬＡは、以下の条件式（５）を満足する。
０．６０≦ｆ１／ｆ≦０．８０                            （５）
【００２７】
条件式（５）は、第１レンズＬ１の焦点距離ｆ１と撮像レンズＬＡ全体の焦点距離ｆとの比を規定するものである。条件式（５）の範囲内にすることにより、沈胴時の低背化、及び、撮影時の挟角化での諸収差の補正が容易となり好ましい。
【００２８】
この撮像レンズＬＡは、以下の条件式（６）を満足する。
０．９０≦ｆ２／ｆ≦１．３０                            （６）
【００２９】
条件式（６）は、第２レンズＬ２の焦点距離ｆ２と撮像レンズＬＡ全体の焦点距離ｆとの比を規定するものである。条件式（６）の範囲内にすることにより、沈胴時の低背化、及び、撮影時の挟角化での諸収差の補正が容易となり好ましい。
【００３０】
この撮像レンズＬＡは、以下の条件式（７）を満足する。
−０．７０≦ｆ３／ｆ≦−０．５０                        （７）
【００３１】
条件式（７）は、第３レンズＬ３の焦点距離ｆ３と撮像レンズＬＡ全体の焦点距離ｆとの比を規定するものである。条件式（７）の範囲内にすることにより、沈胴時の低背化、及び、撮影時の挟角化での諸収差の補正が容易となり好ましい。
【００３２】
この撮像レンズＬＡは、以下の条件式（８）を満足する。
０．０５≦ｄ８／ｆ≦０．１０                            （８）
【００３３】
条件式（８）は、第４レンズＬ４の像面側面Ｓ８から第５レンズＬ５の物体側面Ｓ９までの軸上距離ｄ８と撮像レンズＬＡ全体の焦点距離ｆとの比を規定するものである。条件式（８）の範囲内にすることにより、沈胴時の低背化、及び、撮影時の挟角化での諸収差の補正が容易となり好ましい。
【００３４】
撮像レンズＬＡを構成する６枚レンズが、それぞれ前記の構成及び、条件式を満たすことにより、撮影時は、２ω≦５０°の挟角で、良好な光学特性を有し、沈胴時のＴＴＬ／ＩＨ≦１．４０と沈胴時に低背な６枚のレンズで構成される撮像レンズを得ることが可能となる。
【実施例】
【００３５】
以下に、本発明の撮像レンズＬＡについて、実施例を用いて説明する。各実施例に記載されている記号は以下のことを示す。なお、距離、半径及び軸上厚みの単位はいずれもミリメートル（ｍｍ）である。
ｆ      ：撮像レンズＬＡ全体の焦点距離
ｆ１    ：第１レンズＬ１の焦点距離
ｆ２    ：第２レンズＬ２の焦点距離
ｆ３    ：第３レンズＬ３の焦点距離
ｆ４    ：第４レンズＬ４の焦点距離
ｆ５    ：第５レンズＬ５の焦点距離
ｆ６    ：第６レンズＬ６の焦点距離
Ｆｎｏ  ：絞り値（撮像レンズの有効焦点距離と入射瞳径の比）、Ｆ値
２ω    ：全画角
ＳＴＯＰ：開口絞り
Ｒ      ：光学面の曲率半径、レンズの場合は中心曲率半径
Ｒ１    ：第１レンズＬ１の物体側面Ｓ１の曲率半径
Ｒ２    ：第１レンズＬ１の像面側面Ｓ２の曲率半径
Ｒ３    ：第２レンズＬ２の物体側面Ｓ３の曲率半径
Ｒ４    ：第２レンズＬ２の像面側面Ｓ４の曲率半径
Ｒ５    ：第３レンズＬ３の物体側面Ｓ５の曲率半径
Ｒ６    ：第３レンズＬ３の像面側面Ｓ６の曲率半径
Ｒ７    ：第４レンズＬ４の物体側面Ｓ７の曲率半径
Ｒ８    ：第４レンズＬ４の像面側面Ｓ８の曲率半径
Ｒ９    ：第５レンズＬ５の物体側面Ｓ９の曲率半径
Ｒ１０  ：第５レンズＬ５の像面側面Ｓ１０の曲率半径
Ｒ１１  ：第６レンズＬ６の物体側面Ｓ１１の曲率半径
Ｒ１２  ：第６レンズＬ６の像面側面Ｓ１２の曲率半径
Ｒ１３  ：ガラス平板ＧＦの物体側面Ｓ１３の曲率半径
Ｒ１４  ：ガラス平板ＧＦの像面側面Ｓ１４の曲率半径
ｄ      ：レンズの軸上厚み、又は、レンズ間の軸上距離
ｄ０    ：開口絞りＳＴＯＰから第１レンズＬ１の物体側面Ｓ１までの軸上距離
ｄ１    ：第１レンズＬ１の軸上厚み
ｄ２    ：第１レンズＬ１の像面側面Ｓ２から第２レンズＬ２の物体側面Ｓ３までの軸上距離
ｄ３    ：第２レンズＬ２の軸上厚み
ｄ４    ：第２レンズＬ２の像面側面Ｓ４から第３レンズＬ３の物体側面Ｓ５までの軸上距離
ｄ５    ：第３レンズＬ３の軸上厚み
ｄ６    ：第３レンズＬ３の像面側面Ｓ６から第４レンズＬ４の物体側面Ｓ７までの軸上距離
ｄ７    ：第４レンズＬ４の軸上厚み
ｄ８    ：第４レンズＬ４の像面側面Ｓ８から第５レンズＬ５の物体側面Ｓ９までの軸上距離
ｄ９    ：第５レンズＬ５の軸上厚み
ｄ１０  ：第５レンズＬ５の像面側面Ｓ１０から第６レンズＬ６の物体側面Ｓ１１までの軸上距離
ｄ１１  ：第６レンズＬ６の軸上厚み
ｄ１２  ：第６レンズＬ６の像面側面Ｓ１２からガラス平板ＧＦの物体側面Ｓ１３までの軸上距離
ｄ１３  ：ガラス平板ＧＦの軸上厚み
ｄ１４  ：ガラス平板ＧＦの像面側面Ｓ１４から像面までの軸上距離
Ｄ１２  ：第１レンズＬ１の物体側面Ｓ１から第２レンズＬ２の像面側面Ｓ４までの軸上距離
ｎｄ    ：ｄ線の屈折率
ｎｄ１  ：第１レンズＬ１のｄ線の屈折率
ｎｄ２  ：第２レンズＬ２のｄ線の屈折率
ｎｄ３  ：第３レンズＬ３のｄ線の屈折率
ｎｄ４  ：第４レンズＬ４のｄ線の屈折率
ｎｄ５  ：第５レンズＬ５のｄ線の屈折率
ｎｄ６  ：第６レンズＬ６のｄ線の屈折率
ｎｄｇ  ：ガラス平板ＧＦのｄ線の屈折率
νｄ    ：アッベ数
ν１    ：第１レンズＬ１のアッベ数
ν２    ：第２レンズＬ２のアッベ数
ν３    ：第３レンズＬ３のアッベ数
ν４    ：第４レンズＬ４のアッベ数
ν５    ：第５レンズＬ５のアッベ数
ν６    ：第６レンズＬ６のアッベ数
νｇ    ：ガラス平板ＧＦのアッベ数
ＴＴＬ  ：光学全長（第１レンズＬ１の物体側面Ｓ１から像面までの軸上距離）
ＬＢ    ：レンズバック長（第６レンズＬ６の像面側面Ｓ１２から像面までの軸上距離）
ＩＨ    ：像高
【００３６】
（実施例１）
図１は、実施例１の撮像レンズＬＡの撮影時、及び、沈胴時の配置を示す構成図である。実施例１の撮像レンズＬＡを構成する第１レンズＬ１〜第６レンズＬ６のそれぞれの物体側面及び像面側面の曲率半径Ｒ、レンズの軸上厚み又はレンズ間の軸上距離ｄ、屈折率ｎｄ、アッベ数νｄを表１に、撮影時、及び、沈胴時のＡの値を表２に、円錐係数ｋ、非球面係数を表３に、２ω、Ｆｎｏ、ｆ、ｆ１、ｆ２、ｆ３、ｆ４、ｆ５、ｆ６、ＴＴＬ、ＩＨを表４に示す。
【００３７】
【表１】
0006905650.tif 000002
参照波長＝５８８ｎｍ
【００３８】
【表２】
0006905650.tif 000003
【００３９】
【表３】
0006905650.tif 000004
【００４０】
ここで、ｋは円錐係数であり、Ａ４、Ａ６、Ａ８、Ａ１０、Ａ１２、Ａ１４、Ａ１６、Ａ１８、Ａ２０は非球面係数である。
【００４１】
ｙ＝（ｘ２／Ｒ）／［１＋｛１−（ｋ＋１）（ｘ２／Ｒ２）｝１／２］＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６＋Ａ１８ｘ１８＋Ａ２０ｘ２０              （９）
【００４２】
ここで、ｘは非球面曲線上の点と光軸との垂直距離であり、ｙは非球面深さ（非球面における光軸から離れた距離がｘである点と、非球面光軸上の頂点に接する接平面との垂直距離）である。
【００４３】
各レンズ面の非球面は、便宜上、式（９）で表される非球面を使用している。しかしながら、特に、この式（９）の非球面多項式に限定するものではない。
【００４４】
【表４】
0006905650.tif 000005
【００４５】
後に登場する表１３は、各実施例１〜３の条件式（１）〜（８）で規定したパラメータに対応する値を示す。
【００４６】
実施例１は、表１３に示すように、条件式（１）〜（８）を満足する。
【００４７】
実施例１の撮像レンズＬＡの球面収差、非点収差、歪曲収差を図２に示す。なお、図の像面湾曲のＳはサジタル像面に対する像面湾曲、Ｔはタンジェンシャル像面に対する像面湾曲であり、実施例２、３においても同様である。実施例１の撮像レンズＬＡは、２ω＝４７．２４°の挟角で、沈胴時のＴＴＬ／ＩＨ＝１．３６７と沈胴時に低背で、且つ、図２に示すように、良好な光学特性を有していることがわかる。
【００４８】
（実施例２）
図３は、実施例２の撮像レンズＬＡの撮影時、及び、沈胴時の配置を示す構成図である。実施例２の撮像レンズＬＡを構成する第１レンズＬ１〜第６レンズＬ６のそれぞれの物体側面及び像面側面の曲率半径Ｒ、レンズの軸上厚み又はレンズ間の軸上距離ｄ、屈折率ｎｄ、アッベ数νｄを表５に、撮影時、及び、沈胴時のＡの値を表６に、円錐係数ｋ、非球面係数を表７に、２ω、Ｆｎｏ、ｆ、ｆ１、ｆ２、ｆ３、ｆ４、ｆ５、ｆ６、ＴＴＬ、ＩＨを表８に示す。
【００４９】
【表５】
0006905650.tif 000006
参照波長＝５８８ｎｍ
【００５０】
【表６】
0006905650.tif 000007
【００５１】
【表７】
0006905650.tif 000008
【００５２】
【表８】
0006905650.tif 000009
【００５３】
実施例２は、表１３に示すように、条件式（１）〜（８）を満足する。
【００５４】
実施例２の撮像レンズＬＡの球面収差、非点収差、歪曲収差を図４に示す。実施例２の撮像レンズＬＡは、２ω＝４７．２１°の挟角で、沈胴時のＴＴＬ／ＩＨ＝１．３６６と沈胴時に低背で、且つ、図４に示すように、良好な光学特性を有していることがわかる。
【００５５】
（実施例３）
図５は、実施例３の撮像レンズＬＡの撮影時、及び、沈胴時の配置を示す構成図である。実施例３の撮像レンズＬＡを構成する第１レンズＬ１〜第６レンズＬ６のそれぞれの物体側面及び像面側面の曲率半径Ｒ、レンズの軸上厚み又はレンズ間の軸上距離ｄ、屈折率ｎｄ、アッベ数νｄを表９に、撮影時、及び、沈胴時のＡの値を表１０に、円錐係数ｋ、非球面係数を表１１に、２ω、Ｆｎｏ、ｆ、ｆ１、ｆ２、ｆ３、ｆ４、ｆ５、ｆ６、ＴＴＬ、ＩＨを表１２に示す。
【００５６】
【表９】
0006905650.tif 000010
参照波長＝５８８ｎｍ
【００５７】
【表１０】
0006905650.tif 000011
【００５８】
【表１１】
0006905650.tif 000012
【００５９】
【表１２】
0006905650.tif 000013
【００６０】
実施例３は、表１３に示すように、条件式（１）〜（８）を満足する。
【００６１】
実施例３の撮像レンズＬＡの球面収差、非点収差、歪曲収差を図６に示す。実施例３の撮像レンズＬＡは、２ω＝４７．２４°の挟角で、沈胴時のＴＴＬ／ＩＨ＝１．３６６と沈胴時に低背で、且つ、図６に示すように、良好な光学特性を有していることがわかる。
【００６２】
表１３に、実施例１〜３の条件式（１）〜（８）で規定したパラメータに対応する値を示す。
【００６３】
【表１３】
0006905650.tif 000014
【００６４】
上記の各実施形態は本発明を実現するための具体的な実施例であるが、実際の応用において、本発明の主旨及び範囲から逸脱することなく、形式及び細部に対する種々の変更を行うことができることは、当業者であれば理解できるはずである。
【要約】
【課題】本発明は、光学レンズの分野に関し、撮像レンズを提供する。
【解決手段】撮像レンズは、物体側から像面側へ向かって、順に、正の屈折力を有する第１レンズ、正の屈折力を有する第２レンズ、負の屈折力を有する第３レンズ、負の屈折力を有する第４レンズ、正の屈折力を有する第５レンズ、負の屈折力を有する第６レンズが配置され、撮影時の（ＴＴＬ／ＬＢ）≦２．２０、７．５０≦Ｄ１２／ｄ２≦８．５０、０．０４≦ｄ６／ｆ≦０．０８、−１．００≦Ｒ６／Ｒ７≦−０．３５の条件式を満足する。本発明は、沈胴時に低背とし、撮影時は、挟角、良好な光学特性を有する。
【選択図】図１【図１】
0006905650.tif 000015
【図２】
0006905650.tif 000016
【図３】
0006905650.tif 000017
【図４】
0006905650.tif 000018
【図５】
0006905650.tif 000019
【図６】
0006905650.tif 000020